【事件の表示】
　平成　８年特許願第２９８１９０号「カラープルーフ作成用光熱変換型ヒートモード記録装置」拒絶査定に対する審判事件〔平成１０年　５月１２日出願公開、特開平１０−１１９３２９、請求項の数（２）〕について、次のとおり審決する。
【結　論】
　原査定を取り消す。
　本願の発明は、特許すべきものとする。
【理　由】
１　経緯及び本願の発明
　本願は、平成８年１０月２２日の出願であって、その発明は、平成１２年４月１４日付け手続補正書、平成１２年１１月６日付け手続補正書、及び平成１３年３月８日付け手続補正書によって補正された明細書及び図面によれば、その特許請求の範囲に記載された事項によって特定されるとおりのものでり、符号Ａ乃至Ｆを挿入して分説すると、以下のとおりである。
【請求項1】
Ａ　支持体(基体)上に光熱変換層及び着色剤を含むインク層が積層された光熱変換型ヒートモード記録材料と、
　別の支持体上に受像層を有する光熱変換型ヒートモード受像材料とを、
　前記記録材料の前記インク層を有する面と前記受像材料の前記受像層を有する面を対面させて重ね合わせ、画像情報に応じた光を照射することにより、網点画像を前記受像材料に作成するカラープルーフ作成用光熱変換型ヒートモード記録装置において、
Ｂ　前記記録材料を裁断するカッターを有し、前記記録材料と前記受像材料とを重ね合わせる前に、前記カッターにより裁断された前記記録材料のインク層を有する面を、表面が粘着力を持つ粘着性クリーニングローラーを圧接させることによりクリーニングし、
Ｃ　かつ、前記受像材料の受像層を有する面を、表面が粘着力を有する粘着性クリーニングローラーを圧接させることによりクリーニングすること
Ｄ　を特徴とするカラープルーフ作成用光熱変換型ヒートモード記録装置。
【請求項2】
Ｅ　着色剤が有機顔料であること
Ｆ　を特徴とする請求項1記載のカラープルーフ作成用光熱変換型ヒートモード記録装置。
２　原査定の概要
　原査定は、本願の請求項１に係る発明及び請求項２に係る発明は、その出願前その発明の属する技術の分野における通常の知識を有する者がその出願前国内において頒布された刊行物（３に掲記の刊行物１乃至５）に記載された発明に基いて容易に発明をすることができたものであるから、特許法第２９条第２項の規定により特許を受けることができない、というものである。
３　刊行物に記載された発明
（刊行物）
刊行物１　特開昭５９−１８２７６８号公報
刊行物２　特開平７−２７６７３０号公報
刊行物３　特開平６−３２８７４２号公報
刊行物４　特開平７−１６４６４９号公報
刊行物５　特開平７−２９０７３１号公報
（刊行物に記載された発明）
刊行物１　特開昭５９−１８２７６８号公報
「（１）記録ヘッドとプラテンローラとの間で、熱溶融性（中略）のインク層を有するインクシートの前記インク層と記録シートとを接触させ、前記記録ヘッドに信号を印加してインク層のインクを選択的に記録シート上に転写せしめる熱記録転写装置において、記録シート上にインクが転写される転写部以前の前記インクシートおよび記録シートの搬送経路中に配設され、前記インクシートおよび記録シートに付着した粉塵を除去する粉塵除去手段を有す（当審注：「有す」は「有する」の誤記。）熱転写装置。
（２）粉塵除去手段が少なくともインクシートのインク層面およびインク層面に接触する記録シートの記録シート面に付着した粉塵を除去するものであることを特徴とする特許請求の範囲第１項記載の熱転写装置。
（３）粉塵除去手段をローラで構成し、少なくともローラ表面部分を粘性の高い多孔質の材料にして、インクシートおよび記録シートを接触させることを特徴とする特許請求の範囲第１項および第２項記載の熱転写装置。」（特許請求の範囲）、
「インクシートと対面間に紙粉や塵埃、すなわち粉塵が、付着していると、（中略）インクが記録シートに転写されなかったりする。」（第２頁左上欄第１８行乃至右上欄第１行）、
「インクシートＳＩは、そのベース上に例えば熱溶融性（中略）のインク層が設けられているものであり、」（第２頁右下欄第１１行乃至第１３行）、
「同様に長帯状あるいはカットシート状の記録シートＳ」（第３頁左上欄第１行乃至第２行）、
「少なくともそのローラ表面が粘性の高い多孔質の材料、たとえばシリコン、ウレタンのような発泡材からなるローラ５が各々用いてら（当審注：「てら」は「ら」の誤記。）れている。」（第３頁左上欄８行乃至第１１行）、
「転写部以前に粉塵除去ローラ５Ｃ、５Ｄを配設すること」（第３頁右上欄１３行乃至第１４行）、及び
「プラテンローラ２への、このような記録シートＳの保持は、記録シートが、シート片であろうと、長帯状のものであろうと可能である。」（第３頁右下欄１行乃至第３行）、
と記載されており、これらの記載によれば、
刊行物１には、便宜、符号Ａ”乃至Ｆ”を構成に冠記挿入し、本願の発明に照応対置して分説すると、次の発明が記載されている。
「Ａ”　そのベース上に例えば熱溶融性のインク層が設けられているインクシートＳＩと、
　カットシート状の記録シートＳとを、
　インクシートＳＩのインク層と記録シート層とを接触させ、記録ヘッドに信号を印加してインク層のインクを選択的に記録シート上に転写せしめる熱転写記録装置において、
Ｂ”　記録シート上にインクが転写される転写部以前のインクシートの搬送経路中に配設され、インクシートに付着した粉塵を除去する粉塵除去手段（少なくともインクシートのインク層面に付着した粉塵を除去するものであって、ローラで構成し、少なくともローラ表面部分を粘性の高い多孔質の材料にして、インクシートを接触させることによって、クリーニングするもの）によってクリーニングし、
Ｃ”　かつ、記録シート上にインクが転写される転写部以前の記録シートの搬送経路中に配設され、記録シートに付着した粉塵を除去する粉塵除去手段（少なくともインク層面に接触する記録シートの記録シート面に付着した粉塵を除去するものであって、ローラで構成し、少なくともローラ表面部分を粘性の高い多孔質の材料にして、記録シートを接触させることによって、クリーニングするもの）によってクリーニングする、
Ｄ”　　熱転写記録装置」
刊行物２　特開平７−２７６７３０号公報
「色材層を有する色材シートと、色材シートから画像が転写される受像層を有する受像材料を用い、色材層を画像様に加熱して潜像を記録し、色材を受像材料の受像層に転写現像する画像記録装置」（段落【０００１】、第２頁第２欄第１８行乃至第２２行）、
「印刷分野におけるカラープルーフの作製に特に好適に利用可能」（段落【００１６】、第４頁第６欄第１８行乃至第１９行）、
「フタロシニアン等の大環状化合物を用いた顔料、有機色素等の光吸収材をアクリル系（共）重合体（中略）等のバインダーに混合してなる層」（段落【００１８】、第４頁第６欄第３６行乃至第３９行）、
「ラミネート機構３８によって受像材料１２上に色材シート１０を粘着して重ね合わせる（中略）その後、露光ヘッド２４によって色材シート１０を（中略）露光・加熱して潜像として画像を記録する」（段落【００３６】、第７頁第１３欄第５行乃至第１０行）、及び
「ステーション５３から引き出された色材シート１０等を所定長に切断するカッタ５５と」（段落【００３８】、第７頁第１２欄第３１行乃至第３３行）
と記載されており、これらの記載によれば、刊行物２には、
「印刷分野におけるカラープルーフの作製に特に好適なものとして、色材層を有する色材シートと、色材シートから画像が転写される受像層を有する受像材料を用い、色材層を画像様に加熱して潜像を記録し、色材を受像材料の受像層に転写現像（ラミネート機構３８によって受像材料１２上に色材シート１０を粘着して重ね合わせ、その後、露光ヘッド２４によって色材シート１０を露光・加熱して潜像として画像を記録する）する画像記録装置において、ステーション５３から引き出された色材シート１０等を所定長に切断するカッタ５５を備え、フタロシニアン等の大環状化合物を用いた顔料、有機色素等の光吸収材を用いる画像記録装置。」の発明が記載されている。
刊行物３　特開平６−３２８７４２号公報
「レーザを熱源として熱転写記録を行う異物除去可能なレーザ記録装置」（段落【０００１】、第２頁第２欄第５行乃至第６行）、及び
「粘着性シート１３を搬送することで（中略）搬送路にあるゴミ等の異物を除去」（段落【００４９】、第６頁第９欄第１８行乃至第２１行）
と記載されており、これらの記載によれば、刊行物３には、
「熱転写記録を行うレーザ記録装置において、粘着性シート１３を搬送することで搬送路にあるゴミ等の異物を除去し得る異物除去可能なレーザ記録装置。」
の発明が記載されている。
刊行物４　特開平７−１６４６４９号公報
「ヒートモード記録材料のインク層を有する面と光熱変換型のヒートモード受像材料の受像面を対面するように重ね合わせ、画像情報に応じた光を照射することにより前記インク層を前記受像面に一次転写した後、（中略）前記インク層を被記録体へ二次転写して（中略）記録する二次転写方法」（特許請求の範囲、第２頁第１欄第２行乃至第９行）、及び
「光熱変換型のヒートモード受像材料に一度画像記録した後に被記録体へ再転写（二次転写）する（中略）装置」（段落【０００１】、第２頁第１欄第４６行乃至第５０行）と記載されており、これらの記載によれば、刊行物４には、
「ヒートモード記録材料のインク層を有する面と光熱変換型のヒートモード受像材料の受像面を対面するように重ね合わせ、画像情報に応じた光を照射することにより前記インク層を前記受像面に一次転写した後、前記インク層を被記録体へ二次転写して記録する二次転写装置。」の発明が記載されている。
刊行物５　特開平７−２９０７３１号公報
「薄膜を有するドナーシートに像様に熱エネルギーを印加し、ドナーシートから剥離現象によって像様の薄膜を受像材料に転写することにより（中略）カラー画像の形成、特に印刷分野におけるカラープルーフ（中略）を行うことができる多機能型画像形成システムに関し」（段落【０００１】、第２頁第１欄第３９行乃至第４７行）、
「色材としては（中略）有機顔料（中略）フタロシアニン系」（段落【００４１】、第８頁第１４欄第３行乃至第１１行）、
「引出ローラ５４によって感材ステーション５３から（中略）引き出された感材をシート状に切断するカッタ５５」（段落【００６９】、第１３頁第２３欄第５行）、及び
「ドラム３４の外周上に巻き付けられた受像シート１２上に、（中略）色剤シート１０が積層して巻き付けられる」（段落【００７１】、第１３頁第２３欄第２０行乃至第２３行）」、
と記載されており、これらの記載によれば、刊行物５には、
「薄膜を有するドナーシートに像様に熱エネルギーを印加し、ドナーシートから剥離現象によって像様の薄膜を受像材料に転写することにより、カラー画像の形成、特に印刷分野におけるカラープルーフを行うことができる多機能型画像形成システムにおいて、感材をシート状に切断するカッタ５５を備え、色材として有機顔料、フタロシアニン系のものを用いる画像形成システム。」の発明が記載されている。
４　対比・判断
４−１　請求項１に係る発明
　本願の請求項１に係る発明（以下、「請求項１の発明」という。）と刊行物１の発明を比較すると、請求項１の発明の構成のＡ、Ｂ、Ｃ、及びＤはそれぞれ刊行物１の発明の構成のＡ”、Ｂ”、Ｃ”、及びＤ”に対応し、
請求項１の発明の構成のＡの
「支持体(基体)上に光熱変換層及び着色剤を含むインク層が積層された光熱変換型ヒートモード記録材料と、
　別の支持体上に受像層を有する光熱変換型ヒートモード受像材料とを、
　前記記録材料の前記インク層を有する面と前記受像材料の前記受像層を有する面を対面させて重ね合わせ、画像情報に応じた光を照射することにより、網点画像を前記受像材料に作成するカラープルーフ作成用光熱変換型ヒートモード記録装置において、」は、刊行物１の発明の構成のＡ”の
「そのベース上に例えば熱溶融性のインク層が設けられているインクシートＳＩと、
　カットシート状の記録シートＳとを、
　インクシートＳＩのインク層と記録シート層とを接触させ、記録ヘッドに信号を印加してインク層のインクを選択的に記録シート上に転写せしめる熱転写記録装置において、」に相当し、
請求項１の発明の構成のＢの「前記記録材料を裁断するカッターを有し、前記記録材料と前記受像材料とを重ね合わせる前に、前記カッターにより裁断された前記記録材料のインク層を有する面を、表面が粘着力を持つ粘着性クリーニングローラーを圧接させることによりクリーニングし、」における「前記記録材料のインク層を有する面を、クリーニングローラーを圧接させることによりクリーニングし、」は、刊行物１の発明の構成のＢ”の「記録シート上にインクが転写される転写部以前のインクシートの搬送経路中に配設され、インクシートに付着した粉塵を除去する粉塵除去手段（少なくともインクシートのインク層面に付着した粉塵を除去するものであって、ローラで構成し、インクシートを接触させることによって、クリーニングするもの）によってクリーニングし、」に一致し、
請求項１の発明の構成のＣの「かつ、前記受像材料の受像層を有する面を、表面が粘着力を有する粘着性クリーニングローラーを圧接させることによりクリーニングすること」における「かつ、前記受像材料の受像層を有する面を、クリーニングローラーを圧接させることによりクリーニングすること」は、刊行物１の発明の構成のＣ”の「かつ、記録シート上にインクが転写される転写部以前の記録シートの搬送経路中に配設され、記録シートに付着した粉塵を除去する粉塵除去手段（少なくともインク層面に接触する記録シートの記録シート面に付着した粉塵を除去するものであって、ローラで構成し、記録シートを接触させることによって、クリーニングするもの）によってクリーニングする、」に一致し、
請求項１の発明の構成のＤの「を特徴とするカラープルーフ作成用光熱変換型ヒートモード記録装置。」における「光熱変換型ヒートモード記録装置」は、刊行物１の発明の構成のＤ”「熱転写記録装置」に一致する。
　したがって、双方の発明は、
「Ａ　支持体(基体)上に光熱変換層及び着色剤を含むインク層が積層された光熱変換型ヒートモード記録材料と、
　別の支持体上に受像層を有する光熱変換型ヒートモード受像材料とを、
　前記記録材料の前記インク層を有する面と前記受像材料の前記受像層を有する面を対面させて重ね合わせ、画像情報に応じた光を照射することにより、網点画像を前記受像材料に作成するカラープルーフ作成用光熱変換型ヒートモード記録装置において、
Ｂ　前記記録材料のインク層を有する面を、クリーニングローラーを圧接させることによりクリーニングし、
Ｃ　かつ、前記受像材料の受像層を有する面を、クリーニングローラーを圧接させることによりクリーニングする
Ｄ　光熱変換型ヒートモード記録装置。」
である点において一致し、次の点において相違する。
第１に、
　請求項１の発明が「前記記録材料を裁断するカッターを有し、前記記録材料と前記受像材料とを重ね合わせる前に、前記カッターにより裁断された前記記録材料」を「クリーニング」するものであるのに対して、刊行物１の発明が、そのように規定しているものではない点。
第２に、請求項１の発明の「クリーニングローラ」が「表面が粘着力を持つ粘着性クリーニングローラー」であるのに対して、刊行物１の発明の「クリーニングローラ」が「少なくともローラ表面部分を粘性の高い多孔質の材料にして」いるものである点。
第３に、
　請求項１の発明が「光熱変換型ヒートモード記録装置」において「カラープルーフ作成用」と規定しているものであるのに対し、刊行物１の発明がそのように規定しているものではない点。
　これらの相違点について検討する。
　第１の相違点について検討すると、本願の明細書によれば、「ＹＭＣＢの各色の記録材料１０はロール状のものが（中略）用意され（中略）引き出し手段３１により引き出され、カッター３２により所定の長さに裁断されたものが（中略）搬送されて露光部４０に移設される。」（段絡【００８３】）と記載されており、この記載によれば、光熱変換型ヒートモード記録装置による記録に際し、カッターによる記録材料の裁断によって惹起されるインク層の切り屑に起因して発生する画質の劣化に対応する構成が課題として内在しており、この課題解決の構成として、「カラープルーフ作成用光熱変換型ヒートモード記録装置」として「前記記録材料と前記受像材料とを重ね合わせる前に、前記カッターにより裁断された前記記録材料」を「粘着性表面を有するローラでクリーニング」する構成を備えているものであることが認められるところ、刊行物１の発明は、使用されるインクシート及び記録シートは共にロール状であり、刊行物１には「前記記録材料と前記受像材料とを重ね合わせる前に裁断する」構成及び「粘着性表面を有するローラーでクリーニングする」構成の導出に当たって起因となる事項は認められない。
　そこで、さらに当該起因となる事項について検討すると、刊行物２の発明は、「色材シート等を切断するカッター５５」を備えているものであるが、請求項１の発明のように「前記記録材料と前記受像材料とを重ね合わせる前に、前記カッターにより裁断された前記記録材料」を「粘着性表面を有するローラー」をもってクリーニングする事項を併せ備えているものではなく、また、刊行物５の発明における「感材をシート状に切断するカッタ５５」も刊行物２の発明と同様に、請求項１の発明のように「前記記録材料と前記受像材料とを重ね合わせる前に、前記カッターにより裁断された前記記録材料」を「粘着性表面を有するローラー」をもってクリーニングする事項を併せ備えているものではない。なお、刊行物３の発明、刊行物４の発明は、カッタを備えているものではない。
　してみると、「前記記録材料と前記受像材料とを重ね合わせる前に裁断する」構成を導出し、その起因となる事項が、もともと、認められない刊行物１の発明をもとにして、「クリーニングする事項」を欠載している刊行物２の発明乃至刊行物５の発明を併せ適用することに想到することができたとは、認められない。
　なお、第２の相違点については、刊行物３の発明において「熱転写記録を行うレーザ記録装置において、粘着性シート１３」を用いることが当業者に知られているので、当業者が「粘性」のローラーに替えて「粘着性」のローラーを選択することに想到することについては困難性は認められない。
　また、第３の相違点については、　請求項１の発明が「光熱変換型ヒートモード記録装置」において「カラープルーフ作成用」と規定しているものであるのに対し、刊行物１の発明がそのように規定しているものではないが、「カラープルーフ」の作成自体、刊行物２の発明、刊行物３の発明にみられるように、当業者に周知であるから、当業者が「光熱変換型ヒートモード記録装置」において「カラープルーフ作成用」と規定することについては想到することには困難性は認められない。
　以上のとおりであるから、請求項１の発明は、当業者が刊行物１の発明乃至刊行物５の発明に基いて容易に発明をすることができたものではない。
４−２　請求項２に係る発明について
　本願の請求項２に係る発明（以下、「請求項２の発明」という。）は、請求項１の発明を引用し、「インク層」に用いられる「着色剤」に「有機顔料」であることを規定したものであるところ、インク層の着色剤に有機顔料を用いることは、刊行物２の発明、刊行物５の発明において用いられているように、当業者に周知の事項であるから、着色剤が有機顔料であると規定することのみについては、当業者が想到することに困難性は認められないが、３−１において説示したとおり、請求項１の発明は、当業者が刊行物に記載された発明に基いて容易に発明をすることができたものではないから、請求項１の発明を引用する請求項２の発明は、当業者が刊行物に記載された発明に基いて容易に発明をすることができたものでない。
５　むすび
　以上のとおりであるから、本願の請求項１に係る発明，請求項２に係る発明は、その出願前その発明の属する技術の分野における通常の知識を有する者がその出願前国内において頒布された刊行物に記載された発明に基いて容易に発明をすることができたものではない。
　なお、他に本願について拒絶をすべき理由を発見しない。